(57)【要約】【課題】設定メニューの設定内容をエクスポートすること。【解決手段】制御装置１０４は、デジタルカメラ１００の設定項目に対する設定値を、その設定値を再利用することを目的としてエクスポートし、エクスポートした設定値と、画像ファイルが設定ファイルであることを示す画像の画像データとを記録した画像ファイルを生成する。【選択図】図１
2012039209.tif 000002
【特許請求の範囲】
【請求項１】
デジタルカメラの設定項目に対する設定値を、その設定値を再利用することを目的として抽出する抽出手段と、
前記抽出手段により抽出した前記設定値と、画像ファイルが前記設定値を含んでいることを示す画像データとを記録した画像ファイルを生成する生成手段とを備えることを特徴とする情報処理装置。
【請求項２】
請求項１に記載の情報処理装置において、
前記デジタルカメラの設定項目は、複数のカテゴリに分類されており、
前記生成手段は、前記カテゴリごとに前記画像ファイルを生成することを特徴とする情報処理装置。
【請求項３】
請求項２に記載の情報処理装置において、
前記抽出手段は、前記カテゴリに含まれる複数の設定項目の中から、使用者によって選択された設定項目の設定値を抽出することを特徴とする情報処理装置。
【請求項４】
請求項１〜３のいずれか一項に記載の情報処理装置において、
前記生成手段は、あらかじめ用意されている画像データ、あるいは使用者によって選択された画像データを前記画像ファイルが前記設定値を含んでいることを示す画像データとして前記画像ファイルに記録することを特徴とする情報処理装置。
【請求項５】
請求項４に記載の情報処理装置において、
前記生成手段は、使用者によって選択された画像データを前記画像ファイルが前記設定値を含んでいることを示す画像データとして用いる場合には、使用者によって選択された画像データを縮小して得られる画像データを使用することを特徴とする情報処理装置。
【請求項６】
請求項１〜５のいずれか一項に記載の情報処理装置において、
前記画像ファイルから前記設定値を読み込む読み込み手段と、
前記読み込み手段が読み込んだ前記設定値を用いて、デジタルカメラの設定を更新する更新手段をさらに備えることを特徴とする情報処理装置。
【請求項７】
請求項１〜６のいずれか一項に記載の情報処理装置を備えたデジタルカメラ。
【発明の詳細な説明】
【技術分野】
【０００１】
本発明は、情報処理装置、およびデジタルカメラに関する。
【背景技術】
【０００２】
次のような撮像装置が知られている。この撮像装置では、カメラのユーザー設定項目を外部記憶媒体に記録して、他のカメラへの複製を行うものである（例えば、特許文献１）。
【先行技術文献】
【特許文献】
【０００３】
【特許文献１】特開２００８−３５３８８号公報
【発明の概要】
【発明が解決しようとする課題】
【０００４】
しかしながら、従来の撮像装置では、ユーザー設定項目をカメラ設定項目のための構造体の形式で保存したファイルを作成して記録するため、ファイル形式がカメラ独自の形式となり、扱い難いという問題があった。
【課題を解決するための手段】
【０００５】
本発明における情報処理装置は、デジタルカメラの設定項目に対する設定値を、その設定値を再利用することを目的として抽出する抽出手段と、抽出手段により抽出した設定値と、画像ファイルが設定値を含んでいることを示す画像データとを記録した画像ファイルを生成する生成手段とを備えることを特徴とする。
本発明では、デジタルカメラの設定項目は、複数のカテゴリに分類されており、生成手段は、カテゴリごとに前記画像ファイルを生成するようにしてもよい。
抽出手段は、カテゴリに含まれる複数の設定項目の中から、使用者によって選択された設定項目の設定値を抽出するようにしてもよい。
生成手段は、あらかじめ用意されている画像データ、あるいは使用者によって選択された画像データを画像ファイルが設定値を含んでいることを示す画像データとして画像ファイルに記録するようにしてもよい。
生成手段は、使用者によって選択された画像データを画像ファイルが設定値を含んでいることを示す画像データとして用いる場合には、使用者によって選択された画像データを縮小して得られる画像データを使用するようにしてもよい。
画像ファイルから前記設定値を読み込む読み込み手段と、読み込み手段が読み込んだ設定値を用いて、デジタルカメラの設定を更新する更新手段をさらに備えるようにしてもよい。
本発明によるデジタルカメラは、上記情報処理装置を備えることを特徴とする。
【発明の効果】
【０００６】
本発明によれば、設定項目に関する情報を記録した画像ファイルを通常の画像ファイルと同様に容易に扱うことができる。
【図面の簡単な説明】
【０００７】
【図１】デジタルカメラの一実施の形態の構成を示すブロック図である。
【図２】設定ファイルのデータ構造を模式的に示した図である。
【図３】設定ファイルであることを示す画像の具体例を示す第１の図である。
【図４】設定ファイルであることを示す画像の具体例を示す第２の図である。
【図５】設定値のエクスポート処理の流れを示すフローチャート図である。
【図６】設定値のインポート処理の流れを示すフローチャート図である。
【図７】設定ファイルであることを示す画像を撮影画像から選択する場合の具体例を示す図である。
【図８】設定ファイルであることを示す画像の具体例を示す第３の図である。
【図９】設定ファイルであることを示す画像の具体例を示す第４の図である。
【発明を実施するための形態】
【０００８】
図１は、本実施の形態におけるデジタルカメラの一実施の形態の構成を示すブロック図である。デジタルカメラ１００は、操作部材１０１と、レンズ１０２と、撮像素子１０３と、制御装置１０４と、メモリカードスロット１０５と、モニタ１０６とを備えている。操作部材１０１は、使用者によって操作される種々の入力部材、例えば電源ボタン、レリーズボタン、ズームボタン、十字キー、決定ボタン、再生ボタン、削除ボタン、キャンセルボタンなどを含んでいる。
【０００９】
レンズ１０２は、複数の光学レンズから構成されるが、図１では代表して１枚のレンズで表している。レンズ１０２を構成するレンズには、ズーム倍率を変更するためのズームレンズや、焦点調節を行うための焦点調節用レンズ（ＡＦレンズ）等が含まれる。撮像素子１０３は、例えばＣＣＤやＣＭＯＳなどのイメージセンサーであり、レンズ１０２により結像した被写体像を撮像する。そして、撮像によって得られた画像信号を制御装置１０４へ出力する。
【００１０】
制御装置１０４は、ＣＰＵ、メモリ、およびその他の周辺回路により構成され、デジタルカメラ１００を制御する。なお、制御装置１０４を構成するメモリには、ＳＤＲＡＭやフラッシュメモリが含まれる。ＳＤＲＡＭは、揮発性のメモリであって、ＣＰＵがプログラム実行時にプログラムを展開するためのワークメモリとして使用されたり、データを一時的に記録するためのバッファメモリとして使用される。また、フラッシュメモリは、不揮発性のメモリであって、制御装置１０４が実行するプログラムのデータや、プログラム実行時に読み込まれる種々のパラメータなどが記録されている。
【００１１】
制御装置１０４は、使用者によって操作部材１０１に含まれるレリーズボタンが半押しされたことを検出すると、ＡＦ（Ａｕｔｏフォーカス／自動焦点調節）処理やＡＥ（Ａｕｔｏ Ｅｘｐｏｓｕｒｅ／自動露出調整）処理を実行する。その後、制御装置１０４は、使用者によってレリーズボタンが全押しされたことを検出すると、撮影処理を実行する。
【００１２】
具体的には、撮像素子１０３から入力された画像信号に基づいて所定の画像形式、例えばＪＰＥＧ形式の画像データ（以下、「本画像データ」と呼ぶ）を生成する。また、制御装置１０４は、生成した画像データに基づいて、表示用の画像データ、例えばサムネイル画像データを生成する。制御装置１０４は、生成した本画像データとヘッダ情報とを付加した画像ファイルを生成し、ヘッダ情報内にサムネイル画像データを記録する。そして、制御装置１０４は、生成した画像ファイルをメモリカードスロット１０５へ出力する。
【００１３】
なお、メモリカードスロット１０５は、記憶媒体としてのメモリカードを挿入するためのスロットであり、制御装置１０４から出力された画像ファイルをメモリカードに書き込んで記録する。また、メモリカードスロット１０５は、制御装置１０４からの指示に基づいて、メモリカード内に記憶されている画像ファイルを読み込む。
【００１４】
モニタ１０６は、デジタルカメラ１００の背面に搭載された液晶モニタ（背面モニタ）であり、当該モニタ１０６には、デジタルカメラ１００を設定するための設定メニュー、スルー画、撮影画像、および再生画像等が表示される。
【００１５】
本実施の形態では、使用者は、モニタ１０６に設定メニューを表示した状態で操作部材１０１を操作することにより、デジタルカメラ１００の設定を変更することができる。また、使用者は、操作部材１０１を操作して、現在のデジタルカメラ１００の設定状況をエクスポートしてデータファイルに書き出すように指示することができる。制御装置１０４は、使用者による設定状況のエクスポート指示があった場合には、設定メニューにおける各設定項目の設定値を読み出し、これを画像ファイルのヘッダ情報内に記録する。
【００１６】
このとき、制御装置１０４は、設定状況を記録した画像ファイルの本画像データとして、その画像ファイルが設定状況を記録した画像ファイルであることを示す画像の画像データを記録する。これにより、使用者は画像を再生して確認することにより、どの画像ファイルが設定状況を記録したものであるかを容易に把握することができる。
【００１７】
図２は、本実施の形態における設定状況を記録した画像ファイル（以下、「設定ファイル」と呼ぶ）のデータ構造を模式的に示した図である。図２に示すように、設定ファイルはＥｘｉｆ形式の画像ファイルであり、ヘッダ情報２ａと本画像データ２ｂとから構成される。そして、ヘッダ情報２ａ内には、基本ヘッダ情報２ａ−１、メーカーノート２ａ−２、サムネイル画像データ２ａ−３が含まれる。基本ヘッダ情報２ａ−１としては、画像ファイルのファイル名やデータサイズ等の画像ファイルに関する基本情報が記録される。また、サムネイル画像データ２ａ−３としては、上述したように、表示用画像データとしてのサムネイル画像データが記録される。
【００１８】
メーカーノート２ａ−２は、カメラメーカーが任意のデータを記録することができる領域であり、本実施の形態では、このメーカーノート２ａ−２に、エクスポートされたデジタルカメラ１００の設定状況のデータ（エクスポートデータ）が記録される。また、本画像データ２ｂおよびサムネイル画像データ２ａ−３には、上述したように、その画像ファイルが設定ファイルであることを示す画像の画像データが記録される。
【００１９】
設定ファイルであることを示す画像は、あらかじめフラッシュメモリに記録されており、例えば図３に示すような画像が用いられる。図３に示す例では、画像は、その画像の画像ファイルが設定ファイルであることを示す文字３ａと、設定ファイルであることを示す図形３ｂとで構成されている。あるいは、図４に示すように、画像には、上記設定ファイルであることを示す文字３ａと、設定ファイルであることを示す図形３ｂとに加えて、記録されている設定項目の内容を示す文字４ａを含めるようにしてもよい。
【００２０】
設定項目の内容を示す文字４ａとしては、図４に示すように、エクスポートされた設定メニューのカテゴリを示す情報が記録される。設定メニューのカテゴリとしては、例えば、露出調整に関する設定項目を含むＡＥメニュー、焦点調整に関する設定項目を含むＡＦメニュー、画像処理に関する設定項目を含む画像処理メニュー、デジタルカメラ１００を構成する各種部材に関する設定項目を含む部材メニュー等がある。
【００２１】
図４（ａ）に示す例では、設定項目の内容を示す文字４ａは、この設定ファイル内には、ＡＥメニューの設定内容と、ＡＦメニューの設定内容と、画像処理メニューの設定内容とが記録されていることを示している。また、図４（ｂ）に示す例では、設定項目の内容を示す文字４ａは、この設定ファイル内には、部材メニューの設定内容が記録されていることを示している。この図４に示すように、使用者は、設定項目の内容を設定メニューのカテゴリごとに複数の設定ファイルに分けて記録することもできる。
【００２２】
なお、ＡＥメニューの設定内容には、フラッシュ設定、測光方式設定、露出制御設定、露出補正設定、ＩＳＯ感度設定等の各設定項目の設定値が含まれる。また、ＡＦメニューの設定内容には、ＡＦ駆動方式設定、ＡＦエリア設定、ＡＦサーチ範囲等の各設定項目の設定値が含まれる。また、画像処理メニューの設定内容には、ホワイトバランス設定、彩度設定、コントラスト設定、輪郭強調設定、画像サイズ設定、画像ファイル設定等の各設定項目の設定値が含まれる。また、部材メニューの設定内容には、ＡＦ補助光設定、防振制御設定、フラッシュ種類設定、ファンクションボタン設定等の各設定項目の設定値が含まれる。
【００２３】
使用者は、このように作成された設定ファイルをメモリカード等の記憶媒体を介したり、あるいは有線通信または無線通信により、他のデジタルカメラにコピー（または移動）することができる。そして、使用者は、設定フィルを取り込んだデジタルカメラ上で当該設定ファイルを指定し、データのインポートを行うことにより、インポート側のデジタルカメラのメニューの設定内容を、エクスポート側のデジタルカメラのメニューの設定内容と一致させることができる。
【００２４】
例えば、図１に示した構成のデジタルカメラ１００（以下、「デジタルカメラＡ」と呼ぶ）で設定内容をエクスポートして設定ファイルを作成し、これを同様に図１に示した構成のデジタルカメラ（以下、「デジタルカメラＢ」と呼ぶ）にインポートして、設定内容を反映させる場合について説明する。
【００２５】
この場合には、使用者は、デジタルカメラＢ上で画像一覧を表示させ、操作部材１０１を操作して、表示された画像内から図３や図４に示した設定ファイルであることを示す画像を選択し、インポートを指示する。制御装置１０４は、使用者によってインポートが指示されると、選択された画像に対応する設定ファイルのヘッダ情報２ａのメーカーノート２ａ−２から、デジタルカメラＡの設定状況を示すエクスポートデータを読み出す。そして、制御装置１０４は、読み出したエクスポートデータをインポートすることにより、デジタルカメラＢのメニューの設定項目の設定値を更新する。これによって、インポート側のデジタルカメラＡのメニューの設定内容を、エクスポート側のデジタルカメラＢのメニューの設定内容と一致させることができる。
【００２６】
このとき、デジタルカメラＡにおけるメニューの設定項目とデジタルカメラＢにおけるメニューの設定項目が一致している場合には、デジタルカメラＢの制御装置１０４は、インポートしたデータに基づいて全ての設定項目の設定値を更新すればよい。しかし、デジタルカメラＡとデジタルカメラＢの機種が違う場合等、デジタルカメラＡにおけるメニューの設定項目とデジタルカメラＢにおけるメニューの設定項目が一致していない場合には、デジタルカメラＡにあった設定項目がデジタルカメラＢには無い可能性もある。この場合には、制御装置１０４は、インポートしたデータに含まれる設定項目のうち、デジタルカメラＢにない設定項目については無視すればよい。
【００２７】
あるいは、異なる機種間での設定項目の対応表をあらかじめ用意してフラッシュメモリに記録しておき、エクスポートデータに含まれる項目名がデジタルカメラＢの設定項目にない場合には、上記対応表を参照して、エクスポートデータに含まれる項目名をデジタルカメラＢにおける設定項目名に変換した後、変換した設定項目名の設定値を更新するようにしてもよい。
【００２８】
デジタルカメラＢの制御装置１０４は、インポートしたデータに基づいてデジタルカメラＢの設定を更新した場合には、更新したメニュー項目と更新後の設定値の内容とをモニタ１０６上に一覧表示する。これによって、使用者は、更新結果をモニタ１０６上で確認することができる。
【００２９】
図５は、本実施の形態における設定値のエクスポート処理の流れを示すフローチャートである。図５に示す処理は、エクスポート側のデジタルカメラ１００（デジタルカメラＡ）上で、使用者によって設定値のエクスポートが指示されると起動するプログラムとして、制御装置１０４によって実行される。
【００３０】
ステップＳ１０において、制御装置１０４は、使用者によってエクスポートする設定メニューのカテゴリ（例えばＡＦメニュー等）が選択されたか否かを判断する。ステップＳ１０で肯定判断した場合には、ステップＳ２０へ進む。ステップＳ２０では、制御装置１０４は、使用者によってエクスポートする設定項目（例えばフラッシュ設定等）が選択されたか否かを判断する。ステップＳ２０で肯定判断した場合には、ステップＳ３０へ進む。
【００３１】
ステップＳ３０では、制御装置１０４は、使用者によって、ステップＳ１０で選択されたカテゴリのうち、１つの設定ファイルに含めてエクスポートしたいカテゴリが選択されたか否かを判断する。例えば、使用者は、ステップＳ１０でＡＥメニュー、ＡＦメニュー、画像処理メニュー、部材メニューの４つのカテゴリを選択した場合に、ステップＳ３０でこれらの全てのカテゴリを選択することにより、上記４つのカテゴリの設定項目の設定値のエクスポートデータを１つの画像ファイルに含めて記録することができる。あるいは、使用者は、ステップＳ３０で上記４つのカテゴリのうち、ＡＥメニュー、ＡＦメニュー、画像処理メニューの３つのカテゴリを選択することにより、図４（ａ）に示したように、上記４つのカテゴリのうち、選択した３つのカテゴリの設定項目の設定値のエクスポートデータを１つの画像ファイルに含めて記録することができる。
【００３２】
ステップＳ３０で肯定判断した場合にはステップＳ４０へ進み、制御装置１０４は、ステップＳ３０で選択されたカテゴリの設定項目の設定値をエクスポートしたエクスポートデータを生成して、ステップＳ５０へ進む。ステップＳ５０では、制御装置１０４は、ステップＳ４０で生成したエクスポートデータをヘッダ情報２ａのメーカーノート２ａ−２に記録し、本画像データ２ｂおよびサムネイル画像データ２ａ−３として設定ファイルであることを示す画像の画像データを記録した設定ファイルを生成する。その後、ステップＳ６０へ進む。ステップＳ６０では、制御装置１０４は、ステップＳ５０で生成した設定ファイルをメモリカードスロット１０５へ出力してメモリカードに記録する。
【００３３】
その後、ステップＳ７０へ進み、制御装置１０４は、ステップＳ１０で選択されたカテゴリの全てについて設定ファイルが生成されたか否かを判断する。すなわち、ステップＳ３０における選択によって、ステップＳ１０で選択された全てのカテゴリが選択されて、ステップＳ１０で選択された全てのカテゴリの設定項目の設定値を記録した１つまたは複数の設定ファイルの作成が完了したか否かを判断する。ステップＳ６０で否定判断した場合には、ステップＳ３０へ戻って処理を繰り返す。これに対して、ステップＳ６０で肯定判断した場合には、処理を終了する。
【００３４】
図６は、本実施の形態における設定値のインポート処理の流れを示すフローチャートである。図６に示す処理は、インポート側のデジタルカメラ１００（デジタルカメラＢ）上で、使用者によって設定値のインポートが指示されると起動するプログラムとして、制御装置１０４によって実行される。なお、図６においては、デジタルカメラＡで生成された設定ファイルは、デジタルカメラＢに取り込まれ、メモリカードスロット１０５に挿入されているメモリカードに記録されているものとする。
【００３５】
ステップＳ１１０において、制御装置１０４は、使用者によって再生画像の中から選択された画像の画像ファイルのヘッダ情報２ａのメーカーノート２ａ−２内にエクスポートデータが記録されているか否かを確認することによって、当該画像ファイルが設定ファイルであるか否かを判断する。ステップＳ１１０で肯定判断した場合には、ステップＳ１２０へ進む。ステップＳ１２０では、制御装置１０４は、メモリカード内から選択された設定ファイルを読み出し、当該設定ファイルのヘッダ情報２ａのメーカーノート２ａ−２からエクスポートデータを読み出して、ステップＳ１３０へ進む。
【００３６】
ステップＳ１３０では、制御装置１０４は、読み出したエクスポートデータをインポートすることにより、デジタルカメラＢのメニューの設定項目の設定値を更新する。その後、ステップＳ１４０へ進み、制御装置１０４は、更新内容、例えば更新したメニュー項目と更新後の設定値の内容とをモニタ１０６上に一覧表示して、処理を終了する。
【００３７】
以上説明した本実施の形態によれば、以下のような作用効果を得ることができる。
（１）制御装置１０４は、デジタルカメラ１００の設定項目に対する設定値を、その設定値を再利用することを目的としてエクスポート（抽出）し、エクスポートした設定値と、画像ファイルが設定値を含んでいることを示す画像（設定ファイルであることを示す画像）の画像データとを記録した画像ファイル（設定ファイル）を生成するようにした。これによって、設定ファイルを通常の画像ファイルと同様に容易に扱うことができる。
【００３８】
（２）制御装置１０４は、使用者から１つの設定ファイルに含める設定メニューのカテゴリの選択を受け付け、選択されたカテゴリごとに設定ファイルを生成するようにした。これによって、使用者は、設定メニューのカテゴリ単位で設定ファイルを分割することができる。
【００３９】
（３）制御装置１０４は、各カテゴリに含まれる複数の設定項目の中から、使用者によって選択された設定項目の設定値のみをエクスポートするようにした。これによって、使用者は、エクスポートしたい設定項目を任意に選択することができる。
【００４０】
（４）制御装置１０４は、あらかじめ用意されている画像データを、設定状況を記録した画像ファイルであることを示す画像の画像データとして用いるようにした。これによって、使用者は撮影画像の画像ファイルと設定ファイルとを容易に識別することができる。
【００４１】
（５）制御装置１０４は、使用者によってインポートが指示された場合には、設定ファイルからエクスポートデータを読み出して、読み出したエクスポートデータに含まれる設定値を用いて、デジタルカメラの設定を更新するようにした。これによって、使用者は、画像ファイルを選択してインポートを指示することで、エクスポートデータに基づいて容易に設定内容を更新することができる。
【００４２】
―変形例―
なお、上述した実施の形態のデジタルカメラは、以下のように変形することもできる。
（１）上述した実施の形態では、設定ファイルであることを示す画像として、あらかじめフラッシュメモリに記録されている画像（例えば図３に示した画像）を用いる例について説明した。しかしながら、設定ファイルであることを示す画像を使用者が任意に選択できるようにしてもよい。例えば、使用者は、図７（ａ）、（ｂ）、（ｃ）に示すような撮影画像の中から１つの画像を選択して、これを設定ファイルであることを示す画像として用いるようにしてもよい。この場合、制御装置１０４は、使用者によって選択された撮影画像の画像データを設定ファイルの本画像データ２ｂとして記録すればよい。
【００４３】
（２）この場合、画像を再生したときに、設定ファイルであることを示す画像と通常の撮影画像との区別がつかなくなる可能性があるため、図８に示すように、使用者によって選択された撮影画像上に、その画像の画像ファイルが設定ファイルであることを示す文字８ａや、エクスポートファイルを生成した日時情報８ｂなどを写し込む（合成する）ようにしてもよい。あるいは、設定ファイルであることを示す画像の色をセピアやモノクロなどの特徴的な色に変換することによって、通常の撮影画像と区別するようにしてもよい。また、設定ファイルであることを示す画像として撮影画像を用いる場合には、画像ファイルのデータサイズを低減するために、撮影画像の画像データを縮小（リサイズ）して設定ファイルであることを示す画像の画像データを生成するようにしてもよい。
【００４４】
（３）あるいは、撮影画像の画像ファイルのファイル名と設定ファイルのファイル名との命名規則を異ならせることによって、使用者がファイル名を見ただけで撮影画像ファイルと設定ファイルを区別できるようにしてもよい。
【００４５】
（４）エクスポートデータが改ざんされたり、不正に読み取られたりすることを防ぐために、エクスポートデータを暗号化した上でメーカーノート２ａ−２に記録するようにしてもよい。
【００４６】
（５）上述した実施の形態では、図３や図４に示したように、設定ファイルであることを示す画像には、その画像の画像ファイルが設定ファイルであることを示す文字３ａ、設定ファイルであることを示す図形３ｂ、記録されている設定項目の内容を示す文字４ａ等を写し込む例について説明した。しかしながら、これに限定されず、画像上には他の情報を写し込むようにしてもよい。例えば、図９に示すように、各設定項目の設定値を示す文字９ａを写し込むようにしてもよい。
【００４７】
（６）上述した実施の形態では、デジタルカメラ１００上で図５及び図６に示す処理を実行する例について説明した。しかしながら、本発明は、画像を記録、再生することができる他の情報処理装置、例えば携帯情報端末や携帯電話等にも適用が可能である。
【００４８】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００４９】
１００  カメラ、１０１  操作部材、１０２  レンズ、１０３  撮像素子、１０４  制御装置、１０５  メモリカードスロット、１０６  モニタ
【図１】
2012039209.tif 000003
【図２】
2012039209.tif 000004
【図３】
2012039209.tif 000005
【図４】
2012039209.tif 000006
【図５】
2012039209.tif 000007
【図６】
2012039209.tif 000008
【図７】
2012039209.tif 000009
【図８】
2012039209.tif 000010
【図９】
2012039209.tif 000011